(57)【特許請求の範囲】
【請求項１】
情報処理装置が着脱可能に接続可能な拡張ステーションにおいて、
前記情報処理装置が装着されるための装着面と、
前記装着面に対して音声放射面が、前記情報処理装置の画面に対して左右方向の側面の縁に向って下向きに斜めになるように設けられたスピーカと、を有する拡張ステーションであって、
前記スピーカの全体が前記側面の内側に位置すること、
を有する拡張ステーション。
【請求項２】
情報処理装置本体と、
拡張ステーションとを有する情報処理装置であって、
前記拡張ステーションは、
前記情報処理装置本体が着脱可能に接続可能であり、前記情報処理装置本体が装着されるための装着面と、前記装着面に対して音声放射面が、前記情報処理装置の画面に対して左右方向の側面の縁に向って下向きに斜めになるように設けられたスピーカと、を有する拡張ステーションであって、該スピーカの全体が前記画面の内側に位置すること、
を特徴とする情報処理装置。
【発明の詳細な説明】
【０００１】
【発明の属する技術分野】
本発明はパーソナルコンピュータ或いはワードプロセッサ等の情報処理装置装置に関し、特にスピーカを有する小型・軽量で薄型の情報処理装置に関する。
近年の情報処理装置の普及にともない、携帯性の向上が要求されている。このため、小型・軽量で且つ厚さの薄い情報処理装置を提供する必要がある。他方、近年のマルチメディアへの対応性の要求にともない、これらの情報処理装置にスピーカを設け、このスピーカの音質の向上が要求されている。したがって、小型で薄型の高音質の情報処理装置を提供する必要がある。
【０００２】
【従来の技術】
スピーカを有する従来の情報処理装置を図７〜図９に示す。図７の従来例は、情報処理装置本体１の両側面にスピーカ２を１対設けた例であるが、スピーカ２の音声放射面（或いは取付面）が情報処理装置本体１の側面に平行となるようにスピーカが取付けられていた。また、図８の従来例は、情報処理装置本体１の上面（操作面が設けられる面）の後方よりの両側に１対のスピーカ２を設けた例であるが、スピーカの音声放射面が情報処理装置本体１の上面（操作面）に平行となるように、即ちスピーカの音声放射面が情報機器の投影面にくるようにスピーカ２が配置されていた。また、図９の従来例は、スピーカの使用時に、スピーカ２を情報処理装置本体１の両側面から出っ張らせて、その出っ張部の上面にスピーカの音声放射面が位置するようにスピーカ２が取付けられていた。
【０００３】
なお、特開平８−７６８８５号公報には、スピーカを有する情報機器において、機器本体を薄型化するために、スピーカをメイン基板とは別に設けた周辺処理用の基板に設置した例が示されている。
【０００４】
【発明が解決しようとする課題】
図７の従来例では、スピーカの放射面が情報処理装置本体１の側面に平行となるようにスピーカが取付けられていたので、情報処理装置の厚さがスピーカの音声放射面の長さに制約され、薄型化することは困難であった。また、図８の従来例では、スピーカの放射面が情報処理装置本体１の投影面にくるようにスピーカが配置されていたので、操作面の面積との兼ね合いからスピーカ面を十分確保することができず、それゆえ大きなスピーカを搭載できなかった。また、図９の従来例では、スピーカの使用時に、スピーカ２を情報処理装置本体１の両側面から出っ張らせていたので、出っ張り部分が邪魔になっていた。また、このような出っ張り部は情報処理装置の携帯性を著しく阻害するものであった。
【０００５】
特開平８−７６８８５号公報には、スピーカをメイン基板とは別に設けられた周辺処理用の基板に設置し、機器本体の薄型化が図られているが、スピーカを周辺処理用の基板に取付ける関係上、スピーカの大きさや配置に制約があり、したがってスピーカの音質を向上させることについては限度があった。
そこで、本発明は、スピーカの搭載による情報処理装置の投影面積の増加を最小限にして、情報処理装置本体の薄型化を可能にすると共に、スピーカの音質の向上を図った、スピーカを有する情報処理装置を提供することを課題とする。
【０００６】
【課題を解決するための手段】
上記の課題を達成するために、本発明によれば、スピーカを有する情報処理装置において、スピーカの音声放射面が該情報処理装置の本体の基準面に対し斜めになるように該スピーカを該情報処理装置の本体に取付けたことを特徴とする、スピーカを有する情報処理装置が提供される。
【０００７】
スピーカの音声放射面が情報処理装置の本体面の水平に対し斜めになるようにスピーカを取付けることで、図７の従来例のようにスピーカを情報処理装置の側面に取付けた場合に比べ、高さを低くして機器本体の薄型化を図ることができる。また、図８の従来例のようにスピーカの音声放射面が情報処理装置本体１の投影面にくるようにスピーカを配置した場合に比べ、投影面上における設置面積を小さくすることができ、スピーカの音声放射面の面積を十分確保することができる。
【０００８】
前記スピーカの音声放射面の前方に隙間が形成されていることを特徴とする。これにより、スピーカの前面部の隙間部分が音声拡散領域となり、スピーカによる音質を向上させことができる。
更に、また本発明によると、情報処理装置の本体と、該本体を装着可能な拡張ステーションとを具備し、該拡張ステーションには該拡張ステーションの基準面（例えば、本体に接する上面）に対し斜めになるようにスピーカが取付けられ、前記本体を該拡張ステーションに装着したとき、スピーカの前方に前記本体との間の隙間が形成されることを特徴とする、スピーカを有する情報処理装置が提供される。
【０００９】
この場合においても、スピーカの前方に情報処理装置本体との間の隙間部分が音声拡散領域となり、スピーカによる音質を向上させことができる。
更にまた本発明によると、キーボードを有する本体部と、ディスプレイ部と、前記本体部に設けられ、前記ディスプレイと本体部とを連結する軸部と、前記ディスプレイ部は、前記本体部の蓋部を構成し、音声放射面が前記本体部の基準面に対し斜めになるように本体部に取り付けられたスピーカを有することを特徴とする情報処理装置が提供される。
【００１０】
この場合においても、上記と同様、機器本体の薄型化および音声放射面の確保を図ることができる。
【００１１】
【発明の実施の形態】
以下、添付図面を参照して本発明の情報処理装置の実施形態について詳細に説明する。
図１（ａ）は情報処理装置本体１の操作面のある上面の前方よりの左右両側位置に１対のスピーカ２を斜めに配置した実施例を示す。図１（ｂ）は図１（ａ）のＡ部の詳細断面図で、スピーカ２は情報処理装置本体１の上面の前方よりの両側位置に、左右端へ向かうにしたがって下向きに傾斜し且つ上側が開放された切り込み部３が設けられ、この切り込み部３にスピーカ２が取付けられる。したがって、スピーカ２の音声放射面２′は水平面である操作面に対し、側端へ向かうにしたがって下向きに傾斜するように設置される。なお、図１において、４は液晶表示部である。
【００１２】
図２（ａ）は情報処理装置本体１の前方よりの左右両端壁に、この端壁に向けて開口する上側が閉鎖された切り込み部５が設けられる。そして、これらの切り込み部５の下面、即ちスピーカ２の取付け面は、左右端へ向かうにしたがって下向きに傾斜している。図２（ｂ）及び（ｃ）は図２（ａ）のＢ部の詳細断面図である。図示のように、この切り込み部５の傾斜面にスピーカ２が取付けられる。したがって、スピーカ２はこの切り込み部５の内側でかつ切り込み部５の下面上に取付けられ、本体１の側端へ向かうにしたがって下向きに傾斜するように設置される。したがって、この実施例では、スピーカ２の音声放射面２′の前方に隙間（切り込み部）５があり、この隙間５は情報処理装置本体１の側端に向かって断面積が徐々に拡大しており、スピーカ２からの音声の拡散領域を形成する。これにより、スピーカ２の音質の向上させことができる。
【００１３】
図３（ａ）、（ｂ）はスピーカを情報処理装置の本体１には設けないで、情報処理装置本体１を着脱可能に装着することのできる拡張ステーション１０にスピーカ２を取付けた実施例を示すもので、（ａ）は、情報処理装置本体１を拡張ステーション１０に装着する前の状態を示し、（ｂ）は情報処理装置本体１を拡張ステーション１０に装着した状態を斜視図で示す。
【００１４】
拡張ステーション１０に着脱可能な情報処理装置は、それ自体はよく知られている。通常、情報処理装置本体１を拡張ステーション１０に搭載すると、両者の接続コネクタ（図示せず）が互いに嵌合して情報処理装置本体１と拡張ステーション１０との間が電気的に接続される。
この実施例では、情報処理装置本体１を拡張ステーション１０の上面に搭載したとき、図３（ｂ）に示すように、前後両側は拡張ステーション１０が情報処理装置本体１より前後に若干出っ張るが、左右の側部は互いに重なり合うように構成されている。この実施例では、スピーカ２は拡張ステーション１０の上面の前方よりの両側位置に、左右端へ向かうにしたがって下向きに傾斜し且つ拡張ステーション１０の上側が開放された切り込み部１１が設けられ、この切り込み部１１にスピーカ２が取付けられる。したがって、スピーカ２の音声放射面は拡張ステーション１０の側端へ向かうにしたがって下向きに傾斜するように設置される。
【００１５】
情報処理装置本体１を拡張ステーション１０の上面に装着すると、情報処理装置本体１の底面が切り込み部１１の開放された上面を閉じるようになる、図２に実施例と同様に、スピーカ２の前方には、拡張ステーション１０の側端に向かって断面積が徐々に拡大した隙間（切り込み部）１１が形成されることとなる。この隙間１１は、図２の実施例と同様、スピーカ２からの音声の拡散領域を規定する。スピーカ２から発生される音声の音質を向上させことができる。
【００１６】
図４〜図６はスピーカを傾斜させて配置した場合の寸法の変化を示すものである。図４は右側に、情報処理装置本体１の側面にスピーカ２を平行に取付けた場合（図７の従来例）を示し、左側に情報処理装置本体１の基準面（水平面である操作面）に対し角度θ傾斜させてスピーカ２を取付けた場合（本発明）を示す。この場合、Δｈが厚さ方向の減少分である。
【００１７】
図５において、スピーカの外径をr1, 中心部の厚さをD1, 周囲部の厚さをD2  とする。（ａ）はスピーカ２を音声放射面を上側にして傾斜させた場合に、周囲部の厚さ部分（D2）で情報処理装置１の本体部分に接触する場合を示し、（ｂ）はスピーカ２を音声放射面を上側にして傾斜させた場合に、中心部の厚さ部分（D1）で情報処理装置１の本体部分に接触する場合を示す。
【００１８】
図５（ａ）の場合は、右側に示す、情報処理装置本体１の側面にスピーカ２を平行に取付けた場合（図７の従来例）に比べ、左側に示す本発明の場合の高さ方向の薄くなる寸法Δｈは次の通りとなる。
Δｈ＝  r1−（r1sin θ＋D2cos θ)
図５（ｂ）の場合は、右側に示す、情報処理装置本体１の側面にスピーカ２を平行に取付けた場合（図７の従来例）に比べ、左側に示す本発明の場合の高さ方向の薄くなる寸法Δｈは次の通りとなる。
【００１９】
Δｈ＝  r1−（r1sin θ＋D1cos θ−r2sin θ)
なお、ここで、r2はスピーカ２の外周部の外径r1と中心部の外径r3の差の半分の値、即ち、r2＝（r1−r3）／２、である。
上述のように、スピーカ２の形体、即ちスピーカの外径r1, 中心部の厚さD1, 周囲部の厚さD2，中心部の径等によりΔｈの値は異なるが、いずれの実施例においても、最大Δｈだけ高さ方向の寸法を薄くすることができる。
【００２０】
図６は下側に、情報処理装置本体１の操作面のある上面にスピーカ２を取付けた場合（図８の従来例）を示し、上側に情報処理装置本体１の基準面に対し角度θ傾斜させてスピーカ２を取付けた場合（本発明）を示す。この場合、Δｗが平面方向の寸法の減少分である。この場合、Δｗは次の通りとなる。
Δｗ＝  r1−r1cos θ
この場合は、スピーカ２の形体には余り影響されずに、スピーカ２の設置面積が最大Δｗだけ平面方向の減少する。したがって、情報処理装置本体１自体の寸法も左右各側において、最大Δｗだけ寸法を減少することができる。
【００２１】
図１０は情報処理装置本体１、増設バッテリ８、及び図３の実施例と同様のスピーカ２を有する拡張ステーション１０の斜視図である。図１１は増設バッテリ８を情報処理装置本体１に装着した状態の斜視図、図１２はこれらを更に拡張ステーション１０に装着した状態を示す斜視図である。
増設バッテリ８は情報処理装置１に対して前述のように着脱可能であるが、本発明では、更に、増設バッテリ８を情報処理装置本体１に装着した状態で、拡張ステーションに装着することもできるようになっている。そのために、拡張ステーション１０には、増設バッテリ８が嵌まるための窪み１４が設けられている。この窪み１４を単なる開口ではなく窪みとすることにより、拡張ステーションの前後の領域間での電源や信号を供給・伝達するためのプリント基板等の配線パターンをこの窪み１４の下側に配置することができ、スペースを有効に利用することができる。
【００２２】
なお、情報処理装置本体１を拡張ステーション１０に装着した時は、情報処理装置本体１の裏面に設けてあるコネクタ（図示せず）が拡張ステーション１０のコネクタ１３に嵌合し、両者の電気的な接続がなされる。
更に、拡張ステーション１０の前方よりの両側にはスピーカ２が配置されている。これらのスピーカ２は、両側縁に向かって下方に傾斜している。したがって、薄型のスピーカ２を効果的に配置することができると共に、情報処理装置本体１を装着した状態で、情報処理装置板本体１の裏面が拡張ステーション１０の上面１２に接触するが、両側のスピーカ２は傾斜しているので、スピーカ２の部分は情報処理装置本体１の裏面から隙間があり、スピーカ音が有効に拡散することとなる。
【００２３】
【発明の効果】
以上に説明したような、本発明によれば、スピーカの音声放射面が情報処理装置の本体の基準面に対し斜めになるようにスピーカを取付けることで、図７の従来例のようにスピーカを情報処理装置の側面に取付けた場合に比べ、高さを低くして機器本体の薄型化を図ることができる。また、従来例のようにスピーカの音声放射面が情報処理装置本体の投影面にくるようにスピーカを配置した場合に比べ、投影面上における設置面積を小さくすることができ、スピーカ面の面積を十分確保することができる。
【００２４】
また、前記スピーカの音声放射面の前方に隙間が形成されているので、スピーカの前面部の隙間部分が音声拡散領域となり、スピーカによる音質を向上させことができる。
【図面の簡単な説明】
【図１】（ａ）は本発明のスピーカを有する情報処理装置の第１実施例の斜視図、（ｂ）は（ａ）のＡ部の拡大断面図である。
【図２】（ａ）は本発明のスピーカを有する情報処理装置の第２実施例の斜視図、（ｂ）及び（ｃ）は（ａ）のＢ部の拡大断面図である。
【図３】（ａ）は本発明のスピーカを有する情報処理装置の第３実施例の分解斜視図、（ｂ）は情報処理装置の本体を拡張ステーションに装着した状態を示す斜視図である。
【図４】スピーカを本体の側面に設けた状態から傾斜させた場合の各寸法の変化を示す図である。
【図５】（ａ）はスピーカの外周部が本体に接触する場合の寸法変化を示し、（ｂ）はスピーカの中心部が本体に接触する場合の寸法変化を示す。
【図６】スピーカを本体の操作面に設けた状態から傾斜させた場合の各寸法の変化を示す図である。
【図７】従来のスピーカを有する情報処理装置（その１）の斜視図である。
【図８】（ａ）従来のスピーカを有する情報処理装置（その２）の斜視図、（ｂ）は（ａ）の部分断面図である。
【図９】従来のスピーカを有する情報処理装置（その３）の斜視図である。
【図１０】情報処理装置本体、増設バッテリ及び拡張ステーション１０の斜視図である。
【図１１】増設バッテリを情報処理装置本体に装着した状態の斜視図である。
【図１２】これらを更に拡張ステーション１０に装着した状態を示す斜視図である。
【符号の説明】
１…情報処理装置本体
２…スピーカ
３…切り込み部
４…液晶表示部
５…切り込み部（隙間）
８…増設バッテリ
１０…拡張ステーション
１１…切り込み部（隙間）
１２…拡張ステーション上面
１３…コネクタ
１４…窪み部
【図１】
0003803312.tif 000002
【図２】
0003803312.tif 000003
【図３】
0003803312.tif 000004
【図４】
0003803312.tif 000005
【図５】
0003803312.tif 000006
【図６】
0003803312.tif 000007
【図７】
0003803312.tif 000008
【図８】
0003803312.tif 000009
【図９】
0003803312.tif 000010
【図１０】
0003803312.tif 000011
【図１１】
0003803312.tif 000012
【図１２】
0003803312.tif 000013